(57)【要約】【課題】  はんだ付けを行う際にはんだが同軸線側へ流れ込むことを防止する。【解決手段】細線同軸線のはんだ付け方法であって、同軸線のシールドをグランドバーに配置する段階と、グランドバーまたはシールドにはんだを供給する段階と、冷却部材をグランドバーに隣接して設置する段階と、グランドバーと同軸線をはんだ付けする段階とを含み、冷却部材に隣接した領域を冷却し、はんだ付け部分以外の領域へはんだが流れ込むことを防止するはんだ付け方法および装置を提供する。【選択図】  図２
2005294056.tif 000002
【特許請求の範囲】
【請求項１】
細線同軸線のはんだ処理方法であって、
同軸線のシールドをグランドバーに配置する段階と、
グランドバーまたはシールドにはんだを供給する段階と、
冷却部材をグランドバーに隣接して設置する段階と、
グランドバーと同軸線をはんだ付けする段階とを含み、
冷却部材に隣接した同軸線の領域を冷却し、はんだ付け部分以外の領域へはんだが流れ込むことを防止するはんだ付け方法。
【請求項２】
細線同軸線のはんだ付け方法であって、該工程によりグランドバーに隣接する部分の同軸線の温度を１５０℃以下に保ってはんだ付けを行う請求項１に記載の方法。
【請求項３】
はんだ付けの冷却部材であって、該冷却部材は同軸線が貫通でき、該同軸線を保持する貫通口と、はんだ付けを行う部分に隣接した同軸線の領域に面接触できる接触領域を有しており、グランドバーとのはんだ付けの際、はんだ付け部分から同軸線側へ伝わる熱を接触領域で吸収して該領域の温度をはんだの融点以下に保つことが出来る冷却部材。
【請求項４】
冷却領域を１５０℃以下の冷却温度に冷却することができる請求項３に記載の冷却部材。
【請求項５】
ハウジングと接合するための端部領域を有しており、該端部領域とハウジングに設けられた金属部分とをはんだで接合することによりハウジングに固定されるグランドバー。
【発明の詳細な説明】
【技術分野】
【０００１】
本発明ははんだ付けの際にはんだごてから伝わる熱を吸収する冷却部材、およびこれを用いた同軸線、特に細線同軸線のはんだ処理方法に関するものである。
【背景技術】
【０００２】
電気的な部品の接続には通常ははんだおよび物理的な接触を伴うはんだ装置が使用される。しかしながら近年の電気機器の小型化に伴い、特にコネクタでは、はんだによる接続の際、多くの制約を生じこととなる。
【発明の開示】
【発明が解決しようとする課題】
【０００３】
例えば細線同軸ケーブルのような細い導電線を、コネクタに接続する際、導電線を囲むシールド部にグランドバーを接続するが、はんだ付けする場合はんだによる熱が同軸線のジャケット側に伝わるため、溶けたはんだがシールド線を伝わってジャケットの方向へ流れることがある。はんだが固まると、コネクタの外部に露出している導電線の一部が柔軟性を失うこととなる。
【０００４】
この場合、例えばモバイル機器などの小型の機器へコネクタを使用する際、導電線をコネクタと共に狭い空間へ挿入する際、該導電線をコネクタに近い部分で折り曲げ、または湾曲させることが出来ず、コネクタの装着などの作業性を悪化させる原因となることもある。このような問題を解決するためには、同軸線のジャケット側へのはんだの流れを防止する必要がある。
【課題を解決するための手段】
【０００５】
上述の問題に鑑み本発明は、細線同軸線のはんだ付け方法であって、同軸線のシールドをグランドバーに配置する段階と、グランドバーまたはシールドにはんだを供給する段階と、冷却部材をグランドバーに隣接して設置する段階と、グランドバーと同軸線をはんだ付けする段階とを含み、冷却部材に隣接した領域を冷却し、はんだ付け部分以外の領域へはんだが流れ込むことを防止するはんだ付け方法を提供する。これによりジャケット側へのはんだの流れを防止することが出来る。
【０００６】
このとき冷却はグランドバーに隣接する部分であり、該部分の同軸線の温度を１５０℃以下に保つことが出来る。これによってはんだの流れが防止できる。
【０００７】
このような方法を実現する装置として、はんだ付けの冷却部材であって、該冷却部材は同軸線が貫通でき、該同軸線を保持する貫通口と、はんだ付けを行う部分に隣接した領域に面接触できる接触領域を有しており、グランドバーとのはんだ付けの際、はんだ付け部分から同軸線側へ伝わる熱を接触領域で吸収して該領域の温度をはんだの融点以下に保つことが出来る冷却部材を提供する。
【０００８】
前記記載のように、この冷却部材は冷却領域を１５０℃以下に保つことができる。よってこの方法または装置をコネクタに応用すると、同軸線の接続部分から柔軟に屈曲できるコネクタを実現することが出来る。
【０００９】
以上のようにはんだの流れを遮断することが出来るため、ハウジングに固定するグランドバーをはんだで固定しても、グランドバーが接続された同軸線は柔軟性を失うことなく屈曲させることが出来る。
【発明の効果】
【００１０】
本発明によりはんだが同軸線のジャケット側へ流れることを防止できる。このことは特に小型のコネクタに有効である。
【発明を実施するための最良の形態】
【００１１】
本発明は細線同軸ケーブルのような細い導電線を、コネクタに接続する際、導電線を囲むシールド部にグランドバーを接続するが、はんだ付けを行う際、はんだ付けを行う部分の近傍の同軸線を冷却することによりはんだの流れを防止するものである。これははんだの融点は約１５０℃であることから、これ以下の温度の領域でははんだは流動性を失うことを利用している。以下に具体的な装置を説明する。
【００１２】
図１は本発明の冷却部材１および冷却方法を用いてグランドバー６を接続したときの概略図である。グランドバー６は同軸線２のシールド（本図では示されていない）とはんだ付けされるが、詳細は後述するようにはんだがシールド線を伝わってジャケット側へ流れ込まないため、接続部分の根本から柔軟性を有している。また導電線４は信号を伝達する軸線であり、最終的にはコネクタの端子に接続される軸線である。
【００１３】
図２は冷却部材１を設置した状態の断面図である。同軸線２のシールド７にグランドバー６が配置されており、グランドバー６およびシールド７ははんだ装置５に接触させられている。またシールド７とグランドバー６間にはんだ（図示しない）が供給される。同軸線２はグランドバー６とのはんだ付けの際、各同軸線２を整列させるための、整列手段８によって整列される。
【００１４】
この状態ではんだ付けを行うと、流動化したはんだはシールド７を這うように流れ込む傾向にある。ここではんだの融点は約１５０℃であるため、これ以下の温度でははんだは個体である。冷却部材１により同軸線２のグランドバー６とはんだ付けされる領域以外のシールド７はわずかの熱が移動するのみであるので、同軸線２は少なくともはんだ付けの工程の間は１５０℃以下に保たれる。従ってはんだは同軸線側に流れ込むことはない。
【００１５】
図２に示したように冷却部材１は同軸線２が貫通する開口部を有しているが、本発明はこれに限定されるものではなく、例えば図２において同軸線２の上側の部材と、下側の部材が互いに分離しており、冷却を行う際は同軸線２を上下から挟むことにより同軸線と接触させ冷却することも出来る。
【００１６】
このように本発明の冷却部材１を使用することにより同軸線側へのはんだの流れ込みを防止することが出来る。さらに図３に示したようにグランドバー６はシールド７に接触している。また該グランドバーはハウジングにはんだにより固定できると非常に効果的である。この方法により同軸線は柔軟性を発揮しつつ、かつ、取り扱われるケーブルの端がはんだでしっかりと固定されることが出来る。ハウジングとグランドバーが接続する部分９は例えばＭＩＤなどにより金属が形成されている。この部分にグランドバーをはんだ付けすることが出来る。
【００１７】
本発明ははんだ付けを行う領域に隣接して冷却部材１を接触させることにより、同軸線２の温度を１５０℃以下に保つことが出来、これによってはんだの同軸線側への流れを防止するものである。このことで同軸線２はハウジングに隣接する部分から柔軟性を失うことなく屈曲することが出来る。これによって例えば携帯電話などの小型化が要求される機器に使用することが出来、特に小さな貫通口にコネクタおよび同軸線を通す場合に、同軸線をコネクタの根本から屈曲させて貫通口に通すことができる。
【図面の簡単な説明】
【００１８】
【図１】図１は本発明の冷却部材を用いては同軸線のシールドとグランドバーをはんだ付けした後の図である。
【図２】図２は本発明の冷却部材を使用しているときの断面図である。
【図３】図３はグランドバーをハウジングに接続する時の様子を示した斜視図である。
【符号の説明】
【００１９】
１  冷却部材
２  同軸線
３  冷却面
４  導電線
５  はんだ装置
６  グランドバー
７  シールド
８  整列手段
９  はんだ付け部分
【図１】
2005294056.tif 000003
【図２】
2005294056.tif 000004
【図３】
2005294056.tif 000005